(57)【特許請求の範囲】
【請求項１】
薬剤送達装置のための移送ロックアセンブリであって、前記移送ロックアセンブリは、
ばね付勢された駆動部材（７０）と、前記ばね付勢された駆動部材（７０）を予め張力をかけられた状態で保持するための本体（４０）と、前記ばね付勢された駆動部材（７０）を解放するための移動可能な制御部材（６０）と、前記制御部材（６０）と相互作用するように構成されたロック部材（５０，５０’，５０”）とを有するパワーパック（３０）を備え、前記ロック部材（５０，５０’，５０”）は、前記制御部材（６０）が固定される第１状態から、前記制御部材（６０）が自由に動く第２状態まで、前記制御部材（６０）に対して移動可能であり、前記移送ロックアセンブリはさらに、
鍵部材（２２）を有するハウジング部（２０）を備え、前記ハウジング部（２０）は、前記パワーパック（３０）を受容するように構成され、
前記パワーパック（３０）の前記ハウジング部（２０）との組立ては、前記鍵部材（２２）が、前記ロック部材（５０，５０’，５０”）を前記第１状態から前記第２状態まで移動させ、
前記制御部材（６０）は、前記本体（４０）に対して長手方向軸の周りに回転方向に移動可能であるが軸方向に固定され、前記ロック部材（５０，５０’，５０”）は、前記本体（４０）に対しておよび前記制御部材（６０）に対して軸方向に移動可能であるとともに回転方向に固定される、移送ロックアセンブリ。
【請求項２】
前記パワーパック（３０）の前記ハウジング部（２０）との組立ては、前記鍵部材（２２）が前記ロック部材（５０，５０’，５０”）を前記第１状態から前記第２状態まで軸方向に動かすような、前記ハウジング部（２０）に対する前記パワーパック（３０）の軸方向の移動を備える、請求項１に記載の移送ロックアセンブリ。
【請求項３】
前記ロック部材（５０，５０’，５０”）は、前記第１状態で前記本体（４０）に対するおよび前記ロック部材（５０，５０’，５０”）に対する前記制御部材（６０）の回転が防止されるように、前記制御部材（６０）の対応するかみ合い部材（６２）とかみ合う、かみ合い部材（５２，５２’，５２”）を備え、第２状態で、前記ロック部材（５０，５０’，５０”）の前記かみ合い部材（５２，５２’，５２”）は、前記本体（４０）に対するおよび前記ロック部材（５０，５０’，５０”）に対する前記制御部材（６０）の回転が許容されるように、前記制御部材（６０）の前記対応するかみ合い部材（６２）から軸方向に分離される、請求項２に記載の移送ロック部材。
【請求項４】
前記本体（４０）は、前記制御部材（６０）および前記ばね付勢された駆動部材（７０）と同軸的に配置される、請求項１から３のいずれか１項に記載の移送ロックアセンブリ。
【請求項５】
前記本体（４０）は、前記ばね付勢された駆動部材（７０）の径方向外側かつ前記制御部材（６０）の径方向内側に位置し、前記ロック部材（５０，５０’，５０”）は、前記制御部材（６０）に軸方向に隣接して位置する、請求項４に記載の移送ロックアセンブリ。
【請求項６】
前記ロック部材（５０，５０’，５０”）は、前記本体に対して回転方向に固定される支持部材（５６，５６’，５６”）を備える、請求項１に記載の移送ロックアセンブリ。
【請求項７】
前記ロック部材（５０，５０’，５０”）の軸方向の移動は、前記ロック部材（５０’，５０”）の軸方向の圧縮、または前記ロック部材（５０）の軸方向のずれ、または両者の組み合わせである、請求項６に記載の移送ロックアセンブリ。
【請求項８】
前記ロック部材（５０’，５０”）は、軸方向に弾性的に圧縮可能である、請求項７に記載の移送ロックアセンブリ。
【請求項９】
前記ロック部材（５０’）は、前記本体（４０）と同軸的に配置される軸方向に弾性的に圧縮可能なスリーブである、請求項８に記載の移送ロックアセンブリ。
【請求項１０】
前記ロック部材（５０”）は、前記本体（４０）の軸方向に弾性的に圧縮可能な一体の単一部品である、請求項６に記載の移送ロックアセンブリ。
【請求項１１】
請求項１から１０のいずれか１項に記載の移送ロックアセンブリを備える、薬剤送達装置。
【発明の詳細な説明】
【技術分野】
【０００１】
技術分野
本開示は、薬剤送達装置のための移送ロックアセンブリに関する。より特定的には、薬剤送達装置のパワーパックの移送ロックに関する。
【背景技術】
【０００２】
背景
本開示は、たとえば、自動注射器への、最終アセンブリのためのサブアセンブリとして送達される薬剤送達装置に関する。サブアセンブリの１つは予め張力をかけられたプランジャロッドを備え得るパワーパックであり得、組み立てられた薬剤送達装置において予め張力をかけられたプランジャロッドを解放するように構成される制御部材が配置される。この理由のために、薬剤送達装置の使用者が用量の薬剤を投与することを意図するときに、典型的には異なるサブアセンブリに備えられる別の要素が制御部材と相互作用し得るように、制御部材は移動可能である。サブアセンブリの移送の間に、振動、移動および衝撃が予め張力をかけられたプランジャロッドの思いがけない解放をもたらす場合があり、問題となっているパワーパックが無駄にされる。したがって、パワーパックを思いがけず活性化しないように、制御部材がしっかりと保持されることを保証することが必要である。同時に、ロックされたパワーパックは、これらの安全手段によって、ロック解除および／または組立てすることが難しいまたは複雑であってはならない。
【０００３】
これらの問題を解決するために、いくつかの試みがなされてきた。ＷＯ２０１４／１５４４９１は、アクチュエータスリーブの移送の間の軸方向移動が防止されるパワーパックのための移送ロック機構を開示している。組立ての間、ハウジングの内面上に配置される鍵部材は、ロック機構と相互作用して組立て後に軸方向に移動し得る位置へアクチュエータスリーブを回転させる。本開示では、制御部材は、回転可能にロックされる。したがって、異なる機構が必要とされる。
【０００４】
一方、ＷＯ２０１６／１６９７４８は、パワーパックが付勢されたプランジャロッドの解放を制御する回転可能な連結部材を備える移送ロックに関する。移送の間、連結部材は径方向に可撓性のタブによって回転を防止され、パワーパックがハウジングとともに組み立てられるときに、タブは径方向内側に押されて組み立てられた薬剤送達装置における回転のために連結部材を解放する。公差によって、組立ての間の連結部材のロック解除は常に達成されるわけではなく、薬剤送達装置を誤動作することにつながり得る。
【発明の概要】
【課題を解決するための手段】
【０００５】
概要
本開示において、「遠位（distal）」という用語が用いられるとき、これは、用量送達位置から離れる方向を意味する。「遠位部／端」という用語が用いられるとき、これは、薬剤送達装置の使用下において用量送達位置から最も遠くに位置する、送達装置の部／端またはその部材の部／端を意味する。これに対応して、「近位（proximal）」という用語が用いられるとき、これは、用量送達位置に向かう方向を意味する。「近位部／端」という用語が用いられるとき、これは、薬剤送達装置の使用下において用量送達位置の最も近くに位置する、送達装置の部／端またはその部材の部／端を意味する。
【０００６】
さらに、「軸」を伴うまたは伴わない「長手方向（longitudinal）」という用語は、装置もしくは構成要素の最長の延長の方向における、方向または装置もしくはその構成要素を通る軸を意味する。
【０００７】
「軸」を伴うまたは伴わない「横方向（lateral）」という用語は、装置もしくは構成要素の最広の延長の方向における、方向または装置もしくはその構成要素の軸を意味する。「横方向」は、また、「長手方向に」細長い本体の側部に対する位置を意味し得る。
【０００８】
同様に、「軸」を伴うまたは伴わない「径方向（radial）」または「横断方向（transversal）」という用語は、長手方向に対して概ね垂直な方向における、方向または装置もしくはその構成要素を通る軸を意味し、たとえば「径方向外側」は長手方向軸から離れる方向を意味する。
【０００９】
また、他に何も述べられていない場合、装置の機械的構造およびその構成要素の機構相互接続が記載される以下の説明において、装置は、初期の不活性または非動作状態にある。
【００１０】
先述を考慮して、本開示の大まかな目的は、薬剤送達装置のパワーパックのための移送ロックアセンブリを提供することである。
【００１１】
本開示の主要な局面によれば、薬剤送達装置のパワーパックのための移送ロックアセンブリによって特徴付けられ、移送ロックアセンブリは、ばね付勢された駆動部材と、ばね付勢された駆動部材を予め張力をかけられた状態で保持するための本体と、本体からばね付勢された駆動部材を解放するための制御部材と、制御部材と相互作用するように構成されたロック部材とを備え、ロック部材は、制御部材が固定される第１状態から、制御部材が自由に動く第２状態まで、制御部材に対して移動可能であり、移送ロックアセンブリはさらに、鍵部材を有するハウジング部によって特徴付けられ、ハウジング部は、パワーパックを受容するように構成され、パワーパックのハウジング部との組立ては、鍵部材が、ロック部材を第１状態から第２状態まで制御部材に対して移動させる。
【００１２】
したがって、ロック部材は、ロック部材が第１状態にあるとき、制御部材と接続し、制御部材が回転することを防止する。ロック部材はさらに、制御部材が自由に回転する第２状態にロック部材が動かされるように、パワーパックがハウジング部とともに組み立てられるとき、制御部材から接続解除される。
【００１３】
本体は、径方向に可撓性のアームを備える。アームは、ばね付勢されたプランジャロッドの係合部材と接続する。制御部材の初期状態では、制御部材は、アームがプランジャロッドの係合部材との係合から径方向外側に撓むことを防止する。制御部材が本体に対して解放された状態では、制御部材の内面上の凹部が本体のアームと並ぶ。制御部材の凹部は、駆動部材ばねの付勢下で、アームが径方向外側に撓むことを可能にし、ばね付勢された駆動部材を解放して容器の薬剤を放出する。
【００１４】
本開示の別の局面によれば、制御部材は、本体に対して長手方向軸の周りに回転方向に移動可能であるが軸方向に固定され、ロック部材は、本体に対しておよび制御部材に対して軸方向に移動可能である。
【００１５】
制御部材は軸方向に固定されるため、ロック部材は、第１状態から第２状態までの軸方向の移動の際に制御部材から係合解除し得る。
【００１６】
本開示の別の局面によれば、パワーパックのハウジング部との組立ては、鍵部材がロック部材を第１状態から第２状態まで軸方向に動かすような、ハウジング部に対するパワーパックの軸方向の移動を含む。
【００１７】
したがって、鍵部材は、ハウジング部の構造的特徴であり得、構造的特徴は、ロック部材に直接接続される表面と相互作用してロック部材を第１状態から第２状態まで軸方向に移動させる。鍵部材は、パワーパックのハウジング部との組立てにおいてハウジング部に含まれる構成要素の構造的特徴でもあり得る。
【００１８】
本開示の別の局面によれば、ロック部材は、第１状態で、本体に対するおよびロック部材に対する制御部材の回転が防止されるように、制御部材のかみ合い部材とかみ合う。ロック部材は、第２状態で、本体に対するおよびロック部材に対する制御部材の回転が許容されるように、制御部材のかみ合い部材から軸方向に分離される。
【００１９】
制御部材およびロック部材のかみ合い部材は、突起、ラチェット、リブ、凹部、歯部、スリットなどの任意の種の相互係合構造であり得、第１状態における制御部材とロック部材との間の相対回転を防止するが、第２状態における制御部材とロック部材との間の相対回転を可能にするとともに、かみ合い部材およびロック部材の軸方向分離または係合解除を可能にする。
【００２０】
本開示の別の局面によれば、本体は、制御部材およびばね付勢された駆動部材と同心的に配置される。
【００２１】
本体は、ばね付勢された駆動部材を収容する、管状スリーブであり得る。
本開示の別の局面によれば、本体は、ばね付勢された駆動部材の径方向外側かつ制御部材の径方向内側に位置し、ロック部材は、制御部材に軸方向に隣接して位置する。
【００２２】
このように、制御部材は、本体の径方向外側に回転可能に配置される管状スリーブであり得る。ロック部材は、管状またはリング形状であってもよく、制御部材に対しておよび制御部材に隣接して軸方向に移動可能であり得る。
【００２３】
本開示の別の局面によれば、ロック部材は、本体に対して回転方向に固定される支持部材上に配置される。
【００２４】
ロック部材は本体に対して回転方向に固定される支持部材上に配置されるため、制御部材も、ロック部材が第１状態にあるとき、本体に対して回転方向に固定される。言い換えれば、ロック部材は、ロック部材が第１状態にあるとき、制御部材の回転移動を防止する。
【００２５】
本開示の別の局面によれば、支持部材は、本体に対しておよび制御部材に対して軸方向に移動可能である。
【００２６】
ロック部材は、支持部材上に配置される。したがって、ロック部材は、支持部材が制御部材に対して軸方向に移動するように、第１状態から第２状態まで移動可能である。
【００２７】
本開示の別の局面によれば、支持部材は、軸方向に可撓性である。
支持部材は、軸方向に可撓性の部材であり得、可撓性の支持部材の軸方向の圧縮または伸張は、ロック部材を第１状態から第２状態まで移動させる。
【００２８】
本開示の別の局面によれば、支持部材は、本体と同軸的に配置される軸方向に可撓性のスリーブである。
【００２９】
支持部材は、軸方向に可撓性のスリーブまたは管状部材であり得、可撓性の支持部材の軸方向の圧縮または伸張は、ロック部材を第１状態から第２状態まで移動させる。
【００３０】
本開示の別の局面によれば、支持部材は、本体の軸方向に可撓性の一体化された単一部品である。
【００３１】
装置の成形された構成要素の数を減らすために、支持部材およびロック部材は、本体と一体であってもよい。
【００３２】
可撓性および／または弾性の支持部材は、パワーパックの操作または移送の間に部材が思いがけず係合解除された場合に、ロック部材を制御部材のかみ合い部材と係合するように戻し得る本来の弾性力を提供するという点で、有利であり得る。
【００３３】
本開示の別の局面によれば、薬剤送達装置は、本開示の先述の局面のいずれかに係る移送ロックアセンブリを備える。
【図面の簡単な説明】
【００３４】
【図１】本開示に係る半組み立てされた薬剤送達装置の斜視図である。
【図２】図１の半組み立てされた薬剤送達装置の断面図である。
【図３】本開示のハウジング部およびパワーパックの斜視図である。
【図４】図３のパワーパックの分解図である。
【図５ａ】本開示の組み立てられた薬剤送達装置の断面図である。
【図５ｂ】本開示に係る組み立てられた薬剤送達装置の断面図である。
【図６ａ】本開示に係るさらなる実施形態に係るパワーパックの斜視図である。
【図６ｂ】本開示のさらなる実施形態に係るパワーパックの斜視図である。
【図７ａ】本開示の別の実施形態に係るパワーパックの斜視図である。
【図７ｂ】本開示の別の実施形態に係るパワーパックの斜視図である。
【発明を実施するための形態】
【００３５】
詳細な説明
図１および図２は、半組み立てされた状態における薬剤送達装置１０を示し、前部アセンブリ８０はハウジング部２０の近位部に設置されており、パワーパック３０はハウジング部２０の遠位端を介して部分的に挿入されている。
【００３６】
前部アセンブリ８０は、容器の遠位端をシールする移動可能なストッパを有する、予め充填された薬剤容器を備える。薬剤容器をハウジング部２０内に保つために、容器ホルダが設けられ得る。容器の近位端は、注射針またはマウスピースなどの固定的に取り付けられた薬剤送達部材を備え得る。薬剤送達部材は、代替的には、後の段階で、薬剤送達装置の使用前に、薬剤ホルダを介して容器に取り付けられるように設計されてもよい。薬剤送達部材が注射針に固定的に取り付けられる場合、薬剤送達装置１０が使用できる状態になるまで注射針を殺菌環境中に保護するために、針シールドが設けられる。
【００３７】
ハウジング部２０の近位端には、ばね付勢された管状の薬剤送達部材ガードが移動可能に配置される。薬剤送達部材ガードは、薬剤送達部材を保護して覆うとともに、組み立てられた薬剤送達装置のパワーパック３０を活性化するように機能する。
【００３８】
ハウジング部２０の近位端には、取外し可能なキャップ（図示せず）がさらに設けられてもよい。容器がニードルシールを有する固定的に取り付けられた注射針を有する場合、キャップがハウジング部２０の近位端から取り外されるときにニードルシールがニードルから取り外されるように、キャップにはニードルシール取外し部（図示せず）が設けられてもよい。
【００３９】
図３は、本開示の主要な局面、すなわち組み立てられていない状態におけるハウジング部２０およびパワーパック３０を示す。薬剤送達装置１０の構成要素である機械的部品は、サブアセンブリとして、最終的な組立てが実行される位置まで移送され送達される。最終的な組立ては、予め充填された薬剤容器とともにサブアセンブリを組み立てるプロセスを意味する。
【００４０】
図４に示されるように、パワーパック３０は、たとえばプランジャロッドといったばね付勢された駆動部材７０（図２に示されるばね）と、ばね付勢された駆動部材７０を予め張力をかけられた状態で保持するための本体４０と、ばね付勢された駆動部材７０を解放するための移動可能な制御部材６０と、制御部材と相互作用するように構成されたロック部材５０とを備えており、ロック部材５０は、制御部材６０が固定されている第１状態から、制御部材６０が自由に移動できる第２状態まで、制御部材６０に対して移動可能である。
【００４１】
ばね付勢された駆動部材７０は、さらに、駆動部材７０の近位内面７１と本体４０の遠位内側ストップ壁４１との間で予め張力をかけられるばね７７（図２）を備える。
【００４２】
本体４０は、概ね管状であり得、ばね付勢された駆動部材７０を予め張力をかけられた状態で保持するために、ばね付勢された駆動部材７０の対応する保持部材７６、たとえば凹部に係合する、内側突起を有するアームなどの径方向に可撓性の保持部材４６を備え得る。駆動部材７０は、本体４０と同軸にあり、本体４０の径方向内部に位置する。制御部材６０は、管状であり得、本体４０と同軸にあり、さらに、本体４０の径方向外側に位置する。制御部材６０の内面は、制御部材６０が初期状態にあるときにばね７７の付勢下で径方向外側に撓むことを防止されるように、保持部材４６に当接する。
【００４３】
たとえば薬剤送達部材ガードとの相互作用によってまたは偶然に制御部材６０が解放状態に移動された場合、ばね７７がばね付勢された駆動部材を前方に押し出すことによって、保持部材４６が凹部の中へ径方向外側に撓み得るように、制御部材６０の内部表面上の凹部は保持部材４６と位置合わせされる。これにより、保持部材４６は、対応する保持部材７６から外側に押し進められる。保持部材４６が対応する保持部材７６から係合解除されたとき、ばね付勢された駆動部材７０は、近位側に移動し得る。薬剤送達装置が完全に組み立てられたとき、ばね付勢された駆動部材７０は、薬剤容器のストッパに当接し、結果としてストッパを前方、近位側に駆動して薬剤送達部材を通して薬剤を放出し得る。
【００４４】
制御部材６０が、どういうわけか、たとえば偶然に、薬剤送達装置１０が完全に組み立てられる前に解放状態に動かされた場合、ばね付勢された駆動部材７０はパワーパック３０から勢いよく放たれ、これは装置を操作する人に有害であり得る。加えて、パワーパック３０は無駄にされ得る。
【００４５】
パワーパック３０の思いがけない活性化という問題を軽減するために、制御部材６０は、時期尚早に解放状態へと移動されることを防止されなければならない。
【００４６】
例示された実施形態では、制御部材６０が本体４０に対して移動されることを防止するために、ロック部材５０が設けられる。より特定的には、制御部材６０は、本体４０に対して長手方向軸の周りに回転方向に移動可能であるとともに軸方向に固定され、ロック部材５０は、本体４０に対しておよび制御部材６０に対して軸方向に移動可能であるとともに回転方向にロックされる。しかしながら、ロック部材５０が第１状態にあるときに制御部材６０がロック部材５０によって固定されるように、ロック部材５０は制御部材６０と相互作用するように構成される。ロック部材５０が第２状態に動かされるとき、制御部材６０はロック部材５０によって解放される。
【００４７】
ロック部材５０は、たとえば本体４０に沿った軸方向のずれによって、または、ロック部材の少なくとも一部が圧縮されるような軸方向の圧縮によって移動して、ロック部材５０を制御部材６０から係合解除させ得る。ロック部材５０は、代替的には、ずれおよび圧縮の組み合わせによって移動し得る。ロック部材５０は、制御部材６０に軸方向に隣接して位置し得る。
【００４８】
ロック部材５０は、本体４０の周りに配置される環状または管状部材であり得る、支持部材５６を備え得る。ロック部材５０は、さらに、支持部材５６上に配置されるかみ合い部材５２を備え得る。かみ合い部材５２は、第１状態で制御部材６０の長手方向に細長い凹部などの制御部材６０の対応するかみ合い部材６２とかみ合う、長手方向に細長い突起として構成され得、本体４０に対するおよびロック部材５０に対する制御部材６０の回転が防止される。第２状態では、ロック部材５０のかみ合い部材５２は、制御部材６０の対応するかみ合い部材６２から軸方向に分離され、本体に対するおよびロック部材に対する制御部材６０の回転が許容される。
【００４９】
図４に示されるように、ロック部材５０は、本体４０の対応する固定要素４３と相互作用し得る固定要素５３を備え得、ロック部材５０は本体４０に対して軸方向に移動可能であるが回転方向に固定される。固定要素５３は、リブなどの内向きの突起であり得、対応する固定要素４３は、本体４０の側壁の溝またはスロットなどの長手方向に向けられた窪みであり得る。技術において一般的であるように、突起が代わりに本体４０上に配置されて窪みがロック部材５０の内壁上に配置されるように、相互作用する突起および窪みは構成部品間で入れ替え可能であり得る。
【００５０】
上述されたように、ロック部材５０の移動は、本体４０および制御部材６０に対する軸方向のずれ、またはロック部材５０の軸方向の圧縮、または圧縮およびずれの組み合わせであり得る。このように、ずれは、支持部材５６およびそこに配置されるかみ合い部材５２の移動である。圧縮移動は、そこに配置されるかみ合い部材５２が本体４０および制御部材６０に対して軸方向にずらされるような支持部材５６の軸方向の圧縮である。
【００５１】
ハウジング部２０は、パワーパック３０を受容するように構成される。ハウジング部２０は、ロック部材５０と相互作用するように構成される鍵部材２２を備え、ハウジング部２０のパワーパック３０との組立てにおいて、鍵部材２２はロック部材５０を第１状態から第２状態まで軸方向に移動させる。その後、制御部材６０は、薬剤送達装置１０の活性化の際、ばね付勢された駆動部材７０を解放するように自由に移動する。
【００５２】
鍵部材２２は、長手方向ガイド２６の近位端に設けられる、遠位方向に向けられたレッジ２２として構成され得る。ロック部材５０のかみ合い部材５２は、ガイドフォロワとして構成され得、ハウジング部２０にパワーパック３０を挿入するときにかみ合い部材５２はガイド２６に沿って摺動する。
【００５３】
代替的には、鍵部材２２は、たとえばハウジング部２０の前部アセンブリ８０に備えられる構成要素のいずれかのレッジまたは突起といった構造的特徴として構成されてもよい。
【００５４】
図１〜図５ｂに示される第１の実施形態では、ロック部材５０の支持部材５６は、本体４０の周りに配置される、概ね剛性の環状または管状部材として構成される。本体４０の外面上には、こぶまたはわずかな突起などのストップ要素４８が設けられる。ストップ要素４８は、第１状態でロック部材５０に当接し、ロック部材５０の意図しない移動を防止するために、ある閾値力がロック部材５０を第１状態から第２状態まで動かすために必要とされる。
【００５５】
ハウジング部２０のパワーパック３０の挿入の際、ロック部材５０のかみ合い部材５２は、ハウジング部２０のガイド２６に沿って摺動する。ある予め決められた位置において、かみ合い部材５２は鍵部材２２と接触する。上記のある閾値力の印加の際、パワーパック３０はハウジング２０の中へさらに挿入されて、鍵部材２２が、ロック部材５０を第１状態（図２および図３）から第２状態（図５ａおよび図５ｂ）まで軸方向に移動させ得、その移動の間にロック部材５０はストップ要素４８上に乗り上げる。これにより、ロック部材５０は制御部材６０から軸方向に離れるようにずらされ、制御部材６０は自由に動く。
【００５６】
挿入の終わりに向けて、本体４０の締結要素４４は、たとえばスナップフィット係合によって、ハウジング部２０の対応する締結要素２４と係合し、本体４０、結果として結果としてパワーパック３０とハウジング部２０とが、互いにロックされる。
【００５７】
図６ａおよび図６ｂに示される第２の実施形態では、ロック部材５０’の支持部材５６’は、本体４０の周りに配置される、軸方向に弾性の圧縮可能な環状、管状、またはスリーブ状の部材として構成される。支持部材５６’の遠位端は、支持部材５６’が遠位方向にずれることを防止されるように、阻止部材４７に当接する。圧縮可能な支持部材５６’のかみ合い部材５２’は、制御部材６０の対応するかみ合い部材６２と係合する（図６ａ）。かみ合い部材５２’を対応するかみ合い部材６２から係合解除する（図６ｂ）ために、ある閾値力が支持部材５６’を軸方向に圧縮するために要求される。
【００５８】
ハウジング部２０におけるパワーパック３０の挿入の際、ロック部材５０’のかみ合い部材５２’は、ハウジング部２０のガイド２６に沿って摺動する。ある予め決められた位置において、かみ合い部材５２’は鍵部材２２と接触する。上記のある閾値力の印加の際、パワーパック３０はハウジング部２０の中へさらに挿入されて、鍵部材２２が、ロック部材５０’を第１状態（図６ａ）から第２状態（図６ｂ）まで軸方向に移動、すなわち圧縮させ得、その移動の間にかみ合い部材５２’は対応するかみ合い部材６２から係合解除される。
【００５９】
支持部材５６’の弾性は、かみ合い部材５２’を対応するかみ合い部材６２と係合するように常に付勢する。したがって、万一かみ合い部材５０’が衝撃などによってパワーパック３０の操作または移送の間に思いがけず移動、すなわち圧縮された場合、かみ合い部材５２’は、支持部材５６’の弾性によって、対応するかみ合い部材６２とすぐに再係合し得る。
【００６０】
図７ａおよび図７ｂに示される第３の実施形態では、ロック部材５０”の支持部材５６”は、本体４０の一体的な単一部品である軸方向に弾性的に圧縮可能である部材として構成される。支持部材５６”の遠位端は、支持部材５６”が遠位方向にずれることを防止されるように、本体４０と相互作用される。圧縮可能な支持部材５６”のかみ合い部材５２”は、制御部材６０の対応するかみ合い部材６２と係合される（図７ａ）。かみ合い部材５２”を対応するかみ合い部材６２から係合解除する（図７ｂ）ために、ある閾値力が支持部材５６”を軸方向に圧縮するために要求される。
【００６１】
ハウジング部２０におけるパワーパック３０の挿入の際、ロック部材５０”のかみ合い部材５２”は、ハウジング部２０のガイド２６に沿って摺動する。ある予め決められた位置において、かみ合い部材５２”は鍵部材２２と接触する。上記のある閾値力の印加の際、パワーパック３０は、ハウジング部２０の中へさらに挿入されて、鍵部材２２が、ロック部材５０”を第１状態（図７ａ）から第２状態（図７ｂ）まで軸方向に移動、すなわち圧縮させ得、その移動の間にかみ合い部材５２”は対応するかみ合い部材６２から係合解除される。これにより、ロック部材５０”は制御部材６０から軸方向に離れて動かされ、制御部材６０が自由に動く。
【００６２】
一体化されたロック部材５０”は、より少ない構成要素を組み立てることを意味し、公差鎖を低減し、より堅牢で信頼性の高い装置をもたらす。さらに、第２の実施形態に関連して上述されたように、ロック部材５０”の弾性は、万一ロック部材５０”がパワーパック３０の操作または移送の間に思いがけず動かされた場合に、かみ合い部材５２”を対応するかみ合い部材６２と再係合させ得る。
【図１】
0006902626.tif 000002
【図２】
0006902626.tif 000003
【図３】
0006902626.tif 000004
【図４】
0006902626.tif 000005
【図５ａ】
0006902626.tif 000006
【図５ｂ】
0006902626.tif 000007
【図６ａ】
0006902626.tif 000008
【図６ｂ】
0006902626.tif 000009
【図７ａ】
0006902626.tif 000010
【図７ｂ】
0006902626.tif 000011